(57)【要約】直ぐに使える単一味又は複数味製品の包装で、多様な周囲区画（５，６及び７）と更に二つの室（９，１８）から構成された容器（１）を含み、第一の内部が又一つ以上の製品の成分を含有し、使用時まで他成分と分離されたままにし、第二の外部室により摂取用材料や付属物を更に保持する包装。【選択図】図１
2009522176.tif 000002
【特許請求の範囲】
【請求項１】
単一味又は複数味製品調理用の複数区画包装で、容器（１）が側壁（１０）と変形可能な基部（１１）により規定された内室（９）を提供する外部側壁（２）と基部表面（３）と、該内室（９）に挿入した栓（１２）と、ヒートシール又は他の周知法で外部側壁（２）の端部（３６）に貼り付ける上部密封フィルム（１３）により区切った容器からなり、容器（１）内に一つ以上の区画（４）が作られ、他の周囲区画（５，６及び７）を規定し、変形可能な基部（１１）に外圧を掛けて該栓（１２）を閉鎖位置から栓（１２）及び／又は該内室（９）側壁に形成した特定の開口部（２８）が暴露されるまで移動させた場合に、該周囲区画（５，６及び７）と内室（９）間で連絡できる内室（９）と連絡することを特徴とする複数区画包装。
【請求項２】
該栓（１２）を変形可能な基部（１１）に用いることにより、該圧力を掛けるのをやめたとき、室（９）への製品成分の最終的な戻りを防ぐ形で、同一栓（１２）が弾性的な性質を有する変形可能な基部（１１）の弾性的な戻りにより引き戻されるか、又はユーザーが偶発性のために配置の特定の取っ手（３７）を用いて牽引するか、又はこの両者の状況により引き戻すことを特徴とする請求項１に記載の単一味又は複数味製品調理用の複数区画包装。
【請求項３】
凹部（２２）が内室（９）の変形可能な基部（１１）上にあり、内側上部にあぜ（２３）を備えることと、栓（１２）が上述凹部のあぜ（２３）と連結した溝（３５）を示す軸方向の隆起（３４）を有することを特徴とする請求項２に記載の単一味又は複数味製品調理用の複数区画包装。
【請求項４】
通路（３１，３２及び３３）を備え、該通路の外部端（３８）を閉鎖する上部密封フィルム（１３）の一部（１７）を除いた場合、料理段階で蒸気を放出できるように同一通路の外部端（３８）に対応して周囲区画（５，６及び７）と外部との連絡が生じうることを特徴とする請求項１から３のいずれかに記載の単一味又は複数味製品調理用の複数区画包装。
【請求項５】
上部密封フィルム（１３）の一部（１７）だけを該フィルムの残部を損なわずに除去をするのを助けるために、上部密封フィルム（１３）の一部（１７）上に前もってミシン目（３９）を作製し、後で該フィルムを除去できることを特徴とする請求項４に記載の単一味又は複数味製品調理用の複数区画包装。
【請求項６】
該栓（１２）により周囲開口部（２９）の生成に対応してリング型壁（２６）を周囲に提供し、内室（９）の側壁（１０）上にある周囲あぜ（３０）を補完し、栓（１２）の閉鎖段階で作用することを特徴とする請求項１から５のいずれかに記載の単一味又は複数味製品調理用の複数区画包装。
【請求項７】
栓（１２）が多様な要素（４４、４５）で構成され、それ自身の間で安定して組み立てられ、内室（９）側壁（１０）の隣接部分と一緒に該室（９）内の別区画（４６，４７及び４８）を規定することに加わるのを特徴とする請求項１から６のいずれかに記載の単一味又は複数味製品調理用の複数区画包装。
【請求項８】
内室（９）側壁（１０）が、内室（９）の一つ以上の区画（４６、４７及び４８）を一つ以上の周囲区画（５，６及び７）と連絡する形で、異なる高さ及び／又は角距離で導かれた開口部（２８）を有することを特徴とする請求項７に記載の単一味又は複数味製品調理用の複数区画包装。
【請求項９】
内室（９）を閉鎖する栓（１２）が該室の内容物を分割する壁（４０）を提供し、次いで栓（１２）の該分割壁（４０）が、開口部（２８）に関して望ましくない位置になるのをさけるように、特定の形状で室（９）内側面、又は要素（４４，４５）から導かれるガイド（４２）に沿って走る隆起（４１）を備えることを特徴とする請求項１から８のいずれかに記載の単一味又は複数味製品調理用の複数区画包装。
【請求項１０】
個々の周囲区画（５，６及び７）が細長いすき間の通路（８）を通して、それ自身の間で往来し合うことを特徴とする請求項１から８のいずれかに記載の単一味又は複数味製品調理用の複数区画包装。
【請求項１１】
容器（１）の底上に外部室（１８）を作り、その自由端上に平面（２０）を与える側面（１９）により規定し、フィルム（２１）により密封でき、ヒートシール又は他の周知法によりそれと一体化することを特徴とする請求項１から１０のいずれかに記載の単一味又は複数味製品調理用の複数区画包装。
【発明の詳細な説明】
【技術分野】
【０００１】
本発明は料理の必要がないか、事前の料理で又はマイクロウエーブオーブンで加熱して（乾燥麺類製品の場合）食べる必要のある、直ぐ使用できる製品で、使用前に混合する必要のある二つ以上の成分からなる、特に卵ベースの製品を含有しようとする包装部門に関する。
【０００２】
典型的かつ限定しない例として、この発明を用いて溶き卵と、単一味又は複数味オムレツの調理、又は特別調理用の種々の芳香性材料、及び単一味又は複数味のクリーム、ケーキ、スフレ、更には魚又は甲殻類などの単一味又は複数味のマリネ調理用の種々の芳香性材料とを混合できる。
【背景技術】
【０００３】
現在上例で述べたような食材調理に関する製品用の種々な形の包装知られている。
特に包装物処理の必要があるのは以下を含む。
ａ）殻内の卵と香味料を有する別容器を調理時に加える。
ｂ）ケーキ用粉末調合品を水、ミルク又は卵に加えてマイクロウエーブオーブンで料理する。
これら二つの形式に関する包装での特別な不都合は、最終製品を生むのに香味料又は水、ミルクなどを加える必要があり、その結果自身が汚れる可能性が生ずるという事実からなるが、上記の形式全てでその不都合が他の容器又はミキサーが汚れるという事実と、伝統的な調理法で実用性が僅かしか増加しない料理用ソースパン、フライパン又はベーキング用容器又はトレイをどうしても使用する必要があり、単一味製品しか得られないという事実である。
【０００４】
上述の不都合を克服するために開発した以下の他包装形式もある。
ｃ）流動性要素を固体形の他食材から密封仕切りにより分離する。ここでは柔軟な容器を扱い、その特定位置を押して密封仕切りの開口部を得、その結果流動性成分と固体成分の混合を得る。この包装は特許ＪＰ−Ｂ−２１５４６５１に示されている。
ｄ）流動性要素又は粉末要素を抽出可能フィルムにより固体成分と分離し、それを取り除いて流動性要素又は粉末要素を自身が汚れることなしに固体要素と混合できる。単一味製品の調理しかできないこの包装は、特許出願ＧＢ−Ａ−２３７６２２０に示されている。
e）流動性要素又は粉末要素が包装を開けたときに除去可能な仕切りで固体成分から分離し、流動性要素又は粉末要素を固体要素と混合できる。この場合には包装を開けると自身が汚れる危険がある。この包装は特許出願ＦＲ−Ａ−２８３１１４０に示されるが、単一味製品の調理しかできない。
ｆ）流動性要素又は粉末要素をカバーフィルムと接着した仕切りにより固体成分と分離する。仕切りをフィルムから手で引き離すことができ、流動性要素又は粉末要素をそれ自身が汚れることなしに固体成分と混合できる。この包装は特許出願ＪＰ−Ａ−２０００３４６９４８に示されるが、単一味製品の調理しかできない。
【特許文献１】ＪＰ−Ｂ−２１５４６５１
【特許文献２】ＧＢ−Ａ−２３７６２２０
【特許文献３】ＦＲ−Ａ−２８３１１４０
【特許文献４】ＪＰ−Ａ−２０００３４６９
【発明の開示】
【０００５】
それ故本発見の範囲は、直ぐに使用できる製品の包装に利用でき、以下のことが可能になる。
―使用時まで適切な製品成分分離の維持。
―多様な製品成分の実際的、衛生的、効果的な方法による混合。
―又、内部蒸気用排気口を有効にした同一包装内での製品作りの仕上げ。
中でも単一味又は複数味製品を得るように成分を調理する可能性を有する包装である。
【発明を実施するための最良の形態】
【０００６】
図１に示した改良品の不等角投影断面を参照して、この発明を製造工程の終わりで分かるように示す。
以下の物が見られる。
―外側壁（２）と基部（３）表面を有する容器（１）
―細長いすき間の通路（８）で往来する周囲区画（５，６及び７）を規定する仕切り（４）
―側壁（１０）と適切に変形可能な基部（１１）により規定され、内部に栓（１２）を挿入した内室（９）
―上部密封フィルム（１３）。
栓（１２）に関しては上側にリング型表面（１４，１５）が示され、円形凹部（１６）で分離される。フィルム（１３）がヒートシール又は他の周知技術によりリング型表面（１４、１５）に対応して栓と一体化し、包装内容物の外部要素との接触を絶つことができる。リング型表面（１５）に対応する上部密封フィルム（１３）の一部（１７）は、先で明らかになる用途で容易に除去できるように、円形凹部（１６）に沿って製造段階で前もってミシン目を入れる。
【０００７】
図２は周囲区画（１８）が見られ、ここに示していない製品用の食事用金物、付属品及び濃縮物を保持する予定の容器（１）の基部図である。該区画は自由端で平面（２０）を与える側面（１９）で規定され、フィルム（２１）で上に示した食事用金物、付属品及び濃縮物を保持し、同時に容器の種々な区画間の連絡を始動する装置の取り扱いミス防止シールとして機能するような方法でヒートシール又は他の周知技術により一体化する。
【０００８】
図３を参照すると製造初期段階での包装断面を示している。内室（９）の変形可能な基部（１１）上の中心に凹部（２２）があり、内面上部上にあぜ（２３）を有し、その機能は以後に明らかにする。
【０００９】
図４は製造での次段階を示し、内室（９）が製品の特定成分で充満される以前に栓（１２）を同室に導入する。
【００１０】
該栓（１２）はリング型要素（２４）を提供し、壁（１０）内部と連結しそれに沿って走り、連接棒（２５）により栓（１２）上面（２７）に辺縁的に位置したリング型壁（２６）と連結し、内室（９）を周辺区画（５，６及び７）と連結する開口部（２８）を形成する。
【００１１】
該リング型壁（２６）に対応して半円断面の周辺溝（２９）が有り、半円断面の周辺あぜ（３０）を補完し、側壁（１０）上部にあって、栓（１２）の閉鎖段階で使用される。更に栓（１２）の機能は以後に説明するが、通路（３１，３２）を提供し、動径方向のリング型壁（２６）と横断方向の上面（２７）とそれぞれ交差する。
【００１２】
軸方向の隆起（３４）が栓（１２）上面（２７）の内部から始まり、変形可能な基部（１１）の凹部（２２）にある対応あぜ（２３）と安定して連結できるように溝（３５）が提供され栓（１２）の閉鎖を完了する。
【００１３】
一旦栓（１２）が適所に導入されると、内室（９）を閉鎖するまで移動させ、半円断面の周辺溝（２９）を内室（９）壁（１０）の半円断面の補足周辺あぜ（３０）と接着する。同時に軸方向の隆起（３４）の溝（３５）を、変形可能な基部（１１）凹部（２２）のあぜ（２３）と連結する。
【００１４】
図５を参照すると栓（１２）の完全閉鎖により内室（９）の隔離を引き起こした後に、周辺区画（５，６及び７）を製品の適切な内容物で充満する。
【００１５】
従って包装は上記フィルム（１３）により閉鎖され、容器（１）端部（３６）と栓（１２）上面（２７）両者と、好ましくはヒートシール又は他の周知法により接着する。
【００１６】
図６を参照すると、最初製品使用のために外部区画（１８）密封フィルム（２１）の除去が必要であり、既に記述したように該外部区画（１８）に含有したここには示さない最終的な付属物を除去し、外から変形可能な基部（１１）へ接近可能にするために取り扱いミス防止シールとして働く。
【００１７】
従ってユーザーが基部（１１）の底に押し付けると伸縮自在に変形できる。その結果圧力が軸方向の隆起（３４）に伝わり、包装を開く必要なしに開栓（１２）が起こる。容器をさかさにすると、内室（９）の内容物は、変形可能な基部（１１）に常に押し付けることによって開口部（２８）を通して区画（５，６及び７）に完全に入る。
【００１８】
図７を参照すると、ユーザーは上述の操作の最後に変形可能な基部（１１）を押すのをやめ、栓（１２）の弾性の戻りが起こるように適切に配置し、該基部（１１）凹部（２２）のリブ（２３）と軸方向の隆起（３４）の溝（３５）の間で連携結果が伝わる。従って栓（１２）のリング型壁（２６）をあぜ（３０）に対応して内室（９）端部上に置く。
【００１９】
栓（１２）をこの位置でより安定させる必要がある場合、可動性基部の外側部分に取っ手（３７）を備えることができ、栓（１２）を更に室（９）内側に向かって引き戻すように引っ張ることができる。
【００２０】
栓（１２）の室（９）内側への該呼び戻しは、ある調理品の場合に製品成分が該室（９）に戻るのを防ぐのに有用である。
【００２１】
栓（１２）のリング型表面（１５）に対応して配置した上部フィルムの一部（１７）を引き続き除いて、通路（３１，３２）の外部端（３８）を暴露し、容器（１）の内側と外側間に連絡路を作り、例えば包装をマイクロウエーブオーブンで用いた場合に、製品の料理段階で生じる蒸気が逃げられるようにする。
【００２２】
図８を参照すると、内室（９）栓（１２）の上部図を示している。通路（３２）の開口部には、更にはリング型表面（１４，１５）と円形凹部（１６）が見られ、円形凹部は製造工程時に上部密封フィルム（１３）の一部（１７）で前もってのミシン目（３９）を作製するのに役立つ。
【００２３】
図９、図１０および図１１を参照すると、この発明の第二改良品を示しており、区画（４）は細長いすき間の通路を備えていない。
【００２４】
この特定の改良品では、内室（９）の栓（１２）は分割壁（４０）を提供し、内室（９）内容物を適切に細かく分け、周囲区画（５，６及び７）に運ぶことが予測される。栓（１２）は特定の隆起（４１）を有し、分割壁（４０）が好ましくない位置になるのを防ぐように、室（９）内部側壁から導かれるガイド（４２）に沿って走る。
【００２５】
一旦容器（１）を逆さにし、室（９）内の分割壁（４０）により線引きした各空間にある通常液体である多量の内容物が安定化すると、ユーザーは内室（９）基部（１１）を押す。栓（１２）の必然的な動きにより開口部（２８）が暴露され、周囲区画（５，６及び７）が内室（９）と連絡する。ユーザーが上述の通路の外部端（３８）に見られるつまみ（４３）に対応して配置した上部閉鎖（１３）フィルムの一部（１７）を除去して開けられる通路（３１，３２及び３３）により、料理段階で生じる蒸気は外向きに流れることができる。
【００２６】
図１２と図１３を参照すると包装の今後の改良品を示しており、各周囲区画に異なる成分を注ぐことが可能となる。
【００２７】
この改良品では内室（９）の栓（１２）は実際には多様な要素（４４，４５）の結合で形成され、該内室（９）側壁（１０）の隣接部分と一緒に多様な別区画の規定に関わり、それぞれが製品成分をその内側に保持できる。
【００２８】
図１２と図１３の場合には、要素（４４）は区画（４６）を閉鎖し、それ自体区画（４７）を区切る機能を有するが、要素（４５）は区画（４７）を閉鎖し、それ自体区画（４８）を区切る機能を有する。
【００２９】
この特定の実施形態では、内室（９）の側壁（１０）は内室（９）の区画（４６，４７及び４８）と周囲区画（５，６及び７）の間の連結用の開口部（２８）を備え、内室の各別区画が変形可能な基部（１１）に作用した場合、周囲区画の一つで、ただ一つだけと通じるように多様な高さと角距離に配置される。
【００３０】
ユーザーが通路（３１，３２及び３３）の外部端（３８）に位置するつまみ（４３）に対応する上部密封フィルム（１３）の一部（１７）を持ち上げて開けられる該通路（３１，３２及び３３）により、料理段階で生じる蒸気を外向きに流すことができる。
【００３１】
図１０と図１３では、つまみ（４３）上にあるＶ字型切り込み（４９）が示され、製造工程で密封フィルム（１３）に前もってミシン目（３９）を生成するのに対応する。前もっての該ミシン目形成により、通路（３１，３２及び３３）の外部端を閉鎖する上部密封フィルム（１３）の一部（１７）のみの除去を容易にする。
【００３２】
この発明は、実例が供与する説明に限定されず、当業者により特許限界を超えることなしに完全にし、且つ修正できることを指摘する必要がある。
【００３３】
本発明により多くの利点が可能になり、現在販売されているこれらシステムの使用では克服できなかった困難を克服できる。
【図面の簡単な説明】
【００３４】
【図１】周囲連通区画を有するこの発明の最初の改良品の不等角投影図。
【図２】図１に示した改良品基部の不等角投影図。
【図３】図１に示した容器の垂直断面。
【図４】内部区画栓を挿入した図１に示した改良品の垂直断面。
【図５】内部区画栓を挿入し、上部密封フィルムを用いた図１に示す改良品の垂直断面。
【図６】内部区画栓を開けた図１に示す改良品の垂直断面。
【図７】内部区画栓を引き戻し、栓基部と凹型膜凹部間の排気口と連結部の通路の詳細を有する図１に示した改良品の垂直断面。
【図８】図１に示した改良品の内部区画栓上部から見た図。
【図９】別の周囲区画を有する第二改良品の垂直断面。
【図１０】図９に示した改良品の不等角投影断面。
【図１１】図９に示した改良品の内部周囲栓の不等角投影断面。
【図１２】内部部品により多様な別区画を規定した今後の改良品の垂直断面。
【図１３】図１２に示した改良品の不等角投影断面。
【図１】
2009522176.tif 000003
【図２】
2009522176.tif 000004
【図３】
2009522176.tif 000005
【図４】
2009522176.tif 000006
【図５】
2009522176.tif 000007
【図６】
2009522176.tif 000008
【図７】
2009522176.tif 000009
【図８】
2009522176.tif 000010
【図９】
2009522176.tif 000011
【図１０】
2009522176.tif 000012
【図１１】
2009522176.tif 000013
【図１２】
2009522176.tif 000014
【図１３】
2009522176.tif 000015
【国際調査報告】
2009522176.tif 000016
2009522176.tif 000017
2009522176.tif 000018